(57)【要約】【課題】  火の近くで振るということは、油汚れ高温とで、理想的ではないが従来のまま柄長のフライパンにすると重心の位置が移動するのでフライパンが重たくなる。フライパンの重さと中の材料の重さで、楽に掻き回すことができなかった。片手鍋も軽く持つ装置は改良されず現在も一本の柄で操作していた。【解決手段】  フライパンの鍋の縁を交差させ円形状の柄１を縦に固定する。その輪柄を回転させてフライパンの向こう側を持ち上げるハンドル方法と輪柄の中に、レバーを設け、レバーを挟み、輪柄を、回転させて、フライパンの向こう側を持ち上げるようにする方法と輪柄を、二重にして、管の中のワイヤーで、中の真棒を吊り上げフライパンの向こう側を持ち上げる方法がある。輪柄を、大きくすることで、遠くから、吊るされた状態の位置で、楽にフライパンを振ることが出来るようになる。片手鍋も軽く持って、操作できるようになる。鍋と、柄は、脱着式と固定式の方法があり脱着方法も、弾性利用式、ネジ式、プライヤー式がある。【選択図】図３
2016182320.tif 000002
【特許請求の範囲】
【請求項１】
フライパン３の鍋の縁を交差させ、縦に輪柄１を取り付ける。輪柄１を、回転させて、フライパン３の向こう側を持ち上げることを、特徴とするフライパン及び片手鍋。
【請求項２】
［請求項１］の輪柄１の中に、レバー７を設けたフライパン及び片手鍋。
【請求項３】
［請求項１］の輪柄１を二重にして、中の真棒８をワイヤー１１で吊り上げるようにするフライパン。
【請求項４】
輪柄１の中の真棒８にバネ１７を設ける。及び輪柄のレバー７の取り付け部にバネ１６を設けたフライパン。
【請求項５】
［図４］のフライパン３に取り付けた凸部アーム４に、凹部のアーム２を、差し込み安定上下金具６をレールに柄１の輪の弾性で取り付ける方法と［図１３］［図１４］の凸部の２２に、凹部の２３を差し込み回転させネジ込みする方法と［図１５］［図１６］の円形状のプライヤーで受け型２６を、凹部２７に凸部２８で、噛み合せるプライヤー挟みの方法の柄と鍋の脱着装置。
【発明の詳細な説明】
【技術分野】
【０００１】  本発明は片手鍋を軽く持つ装置と、炒め物を掻き回すフライパンの装置である。
【背景技術】
【０００２】  従来、各職種において掻き回す道具は数多くあったが、フライパンは、油汚れ、高温と悪条件が重なり常に手入れの必要なもので、掻き回す装置があると却って邪魔になることがあった。片手鍋も軽く持つ装置は改良されず現在も一本の柄で操作していた。
【特許文献】特開２００３−３３４１４１  特開平０９−１１７３７９  特開２００８−１１９４３８  特開２０１０−１６７２５０
【発明の開示】
【発明が解決しようとする課題】
【０００３】  火の近くで操作するということは、油汚れ高温とで、理想的ではないが従来のまま柄長にすると重心の位置が移動するので重たくなる。この片手鍋の重さと、フライパンの掻き回し操作の課題を輪柄にして、輪柄を回転させて、解決しようとするものである。
【課題を解決するための手段】
【０００４】本発明の片手鍋と、フライパンは説明上フライパンとする。柄を手前とし向こう側を鍋フライパン３とする。鍋と、柄は、脱着式と固定式の方法がある。［図９］のフライパン３の縁を交差させ縦に輪柄１を取り付け、輪柄に凸部の指止めを設けるハンドル方法。【０００５】  輪柄の中にレバーを設け、レバーを挟み、輪柄を回転させて、フライパンの向こう側を持ち上げるようにする方法。輪柄を、二重にして、管の中のワイヤーで、中の真棒を吊り上げ真棒を回転させて、フライパンの向こう側を持ち上げる方法がある。【０００６】  先ず、弾性利用式脱着は、［図１］［図２］［図３］［図４］のように、フライパン３に凸部のアーム４を取り付ける。その下部に、安定上下金具６を、設ける。輪柄の上部に凹部のアーム２を設ける。輪柄の下部に鍵状の受け棒アーム５を設ける。【０００７】  ［図４］のように、柄１を持ち上げフライパン３に取り付けた凸部アーム４に、凹部のアーム２を、差し込み［図２］の安定上下金具６をレールに［図１］の柄１を受け棒アーム５にスライドさせて取り付け、取り外せるようにする。柄１の受け棒５と凹部のアーム２の弾性を利用して、噛み合せる。脱着方法も、弾性利用式、ネジ式、プライヤー式がある。【０００８】固定式は、［図７］のようにフライパンの鍋の縁を交差させ円形状の柄１を縦に固定するその輪柄１の中に、返しレバー７を設ける。輪柄１を手の平で合せて、親指で持って、人差し指に中指で返しレバー７を挟むと、フライパン３の向こう側を持ち上げようとする力が発生する。この輪柄を回転させようとする力を利用して、向こう側を持ち上げる。【０００９】  返しレバーを挟み持ち上げて、レバーを外し輪柄の手の平をゆるめてフライパンを下げ吊るされた状態の位置で、繰り返し操作できるようになる。返しレバー７と輪柄１にも弾性を作れるが［図８］のように返しレバーの取り付け部に、回転盤を取り付け、回転あそび部を設けバネ１６を取り付ける。返しレバー７がバネになり振る操作が出来る。【００１０】  返しレバーは、輪柄一体式と取り付け式がある。その返しレバーの下部に高熱保護カバー１５を設ける。高熱保護カバーは、柄の方が小さく鍋の方を広く扇のようにして、レバーを包むように設ける。［図７］［図８］の輪柄１の弾性を利用する構造は、カバー１８  を、鍋に固定させて設ける。その下部に、高熱保護カバー１５を輪柄に固定する。【００１１】［図９］［図１０］のように、レバーのない輪柄だけの構造は、輪柄の両測面の凸部の指止め１９を、手の中で締め付け輪柄を回転させてフライパンの向こう側を持ち上げる。輪柄の手をゆるめて、手の平の中を、すべらせて振るハンドル操作が、できるようになる。
【発明を実施するための形態】
【００１２】  輪柄１を手の平で、合せて親指で、持って人差し指に中指で返しレバー７を挟んで、フフライパン３の向こう側を持ち上げる。返しレバーを、外し輪柄を、すべらせて手の平の中を回転させる。この振る操作を、繰り返しできるようにする。返しレバーの取り付け部にバネ１６を取り付けるが、ワイヤー式フライパンの真棒８にもバネ１７を設ける。バネの弾性を利用して輪柄の中の真棒８を、回転させて、フライパンの向こう側を持ち上げて、振ることが出来るようになる。［図５］［図６］も弾性利用式脱着式である。
【００１３】  ワイヤー吊り上げ式フライパンは、真棒８を設け二重にした柄１の、下部に回転盤１０を設け、アーム２に取り付けたワイヤー１１を、回転盤の穴１２に取り付け連結する。レバーを挟み、管の中のワイヤー１１で凹部のアーム２を、吊り上げフライパン３を持ち上げる。［図５］［図６］のように、柄１の中に、真棒８を設け二重にして、輪柄の中にバネ１７を取り付ける。バネ１７は、フライパンの重さを０にして、吊り上げた状態の位置で、真棒８を輪柄の中の下部にバネで引き付けて取り付ける。輪柄１を持つとフライパン３の中の材料の重さだけを、持ち上げて振る操作ができるようになる。
【００１４】  ［図５］のように、レバーフライパンは、フライパンの柄の取っ手の下部に回転盤１０を設け、アーム２に取り付けたワイヤー１１を、回転盤の穴１２に取り付け連結する。レバーを挟み、管の中のワイヤー１１で、凹部のアーム２を、吊り上げ輪柄の真棒８を、回転させる。足踏み、モーターは、［図６］のように、管の中のワイヤー１１で、凹部のアーム２を、吊り上げ輪柄の真棒８を、回転させて、フライパンの向こう側を持ち上げて炒め物をする。［図６］の、ワイヤー式の足踏み１３、モーター１４の参考図のようになる。
【００１５】  炒め物を香ばしく味を作るにはフライパンの中の材料を一度に、回転させて中の材料を、裏返し焼く操作を、楽に出来るようにする必要がある。アウトドアなどで、カレーを作る時、最初はフライパンで、後は片手鍋になる作業があるが、吊り下げる輪柄鍋でもある。
【００１６】［図１１］は、フライパン３の向こう側に、支点２１を設ける。その支点からフライパンの外側半円状棒を設け輪柄のレバーの下部に取り付け連結する。柄１のレバー７を挟むと、フライパン３の手前と向こう側の重量バランスが、よくなるので持ちやすくなる。輪柄１を手の平で合わせて、親指で持って人差し指に中指で返しレバー７を、挟みフライパン３の向こう側の支点２１を、外側半円状棒２０が、引き付け片手で手前と向こう側を同時に持つことが出来るようになる。一つのフライパンで中の材料を炒め次に、カレー鍋のように利用する吊り下げる輪柄鍋でもある。［図１２］は輪柄の弾性を利用して、脱着する方法の輪の部分を小さくして、柄を別に設けたものである。
【００１７】［図１３］［図１４］は、フライパン３に円形状の凸部アーム２２を取り付け、輪柄の両端に、円形状の凹部のアーム２３を設けて、凸部の２２に、ネジ込み１８０度回して、脱着する。［図１５］［図１６］は、フライパン３に受け型２６を設ける。円形状のプライヤー挟みの柄２４と柄２５を設ける。柄２５に返しレバーを取り付ける。凹部２７に凸部２８で、受け型２６を、噛み合せ柄２４と柄２５を挟み柄とフライパンを脱着する。
【発明の効果】
【００１８】  中華鍋は、取っ手があり手入れが便利であるが、［図２］の凸部アーム４と［図１４］の凸部アーム２２と［図１５］の受け型２６が、脱着後の鍋の取っ手になる。返しレバーは、向こう側を軽く持ち上げることが出来るようになる。指止めハンドルは、手の中をすべらせて輪柄を回転させて、吊るされた状態の位置で、操作できるようになる。フライパンの柄を、簡単にワンタッチで、取り外せるようにすることで収納と、手入れが便利である。
【００１９】  足踏み、モーターは、手で振る必要がなく遠くから、吊るされた状態の位置で、楽にフライパンを、振ることが出来るようになる。輪柄１の下部に、高熱保護カバー１５を設けるが、輪柄を、大きくすることでも解決する。輪柄で鍋を吊るすと、輪柄と鍋が縦に一体となり全体が円形のハンドルに、なったような付加機能が、発生する。
【００２０】  本発明により、レバー、足踏み、モーターは、ワイヤーで、輪柄の中の真棒を回転させて、遠くから、吊るされた状態の位置で、軽く持って、楽にフライパンを振ることが出来る。フライパンの柄を、簡単に、ワンタッチで、折り畳み取り外せるようにすることで、収納と、手入れが便利である。
【図面の簡単な説明】
【００２１】
【図１】脱着式の輪柄１の斜視図、
【図２】脱着式のフライパン３の斜視図、
【図３】脱着式の柄１をフライパンに装着した状態の斜視図、
【図４】フライパンの柄を、折り畳み取り外せるようにした斜視図、
【図５】ワイヤー式の側面図、一部断面図、
【図６】足踏み、モーター式、の側面図、一部断面図、
【図７】固定式の斜視図、
【図８】固定式の返しレバーの取り付け部に、バネを、取り付けた状態の側面図、
【図９】輪柄の側面に、凸部を設けた側面図、
【図１０】輪柄の側面に、凸部を設けた正面図、
【図１１】フライパンの向こう側とレバーを、連結した斜視図、
【図１２】輪を、小型にして、柄を別に、取り付けた状態の斜視図、
【図１３】輪柄１を１８０度回転させて、ネジ込み脱着式の輪柄の斜視図、
【図１４】輪柄１を１８０度回転させて、ネジ込み脱着式の鍋の斜視図、
【図１５】プライヤー式の挟み噛み合せ脱着式の鍋の斜視図、
【図１６】プライヤー式の挟み噛み合せ脱着式の輪柄の側面図、一部斜視図、
【符号の説明】
【００２２】  １  柄
２  凹部のアーム
３  フライパン  （鍋）
４  凸部アーム
５  受け棒
６  安定上下金具
７  返しレバー
８  真棒
９  凸部のすべり止め
１０  回転盤
１１  ワイヤー
１２  ワイヤー取り付け部
１３  足踏み
１４  モーター
１５  高熱保護カバー
１６  バネ
１７  バネ
１８  カバー
１９  凸部の指止め
２０  外側半円状棒
２１  支点
２２  凸部の取り付け部
２３  凹部の取り付け部
２４  挟み輪柄
２５  挟み輪柄
２６  受け型
２７  噛み合せる凹部
２８  噛み合せる下部の凸部と、上部の凸部
【図１】
2016182320.tif 000003
【図２】
2016182320.tif 000004
【図３】
2016182320.tif 000005
【図４】
2016182320.tif 000006
【図５】
2016182320.tif 000007
【図６】
2016182320.tif 000008
【図７】
2016182320.tif 000009
【図８】
2016182320.tif 000010
【図９】
2016182320.tif 000011
【図１０】
2016182320.tif 000012
【図１１】
2016182320.tif 000013
【図１２】
2016182320.tif 000014
【図１３】
2016182320.tif 000015
【図１４】
2016182320.tif 000016
【図１５】
2016182320.tif 000017
【図１６】
2016182320.tif 000018